(57)【要約】【課題】輸液バッグの保護性や個別状態での運搬性に優れた包装用仕切体を提供する。【解決手段】前板１、一対の側板２及び後板３から周壁を形成し、前板１の下部に底板５を介して把手板６を連設し、前板１から底板５を後方へ、把手板６を後板３の内側に沿って上方へ順次折り曲げ、前板１及び把手板６にその両側端から間隔をおいて底板５を切り込ませることにより、底板５が前板１及び把手板６の下端から浮き上がり、その両側で底面が抜けるようにする。輸液バッグＢが底板５で持ち上げられ、輸液バッグＢの固く尖った折曲部分の角部は底面の抜けた部分に位置し、擦れによる個装袋Ｔの破れが防止される。また、把手板６の上部を握って、輸液バッグＢを容易に持ち運ぶことができる。【選択図】　図３
2004135916.tif 000002
【特許請求の範囲】
【請求項１】
前板１、一対の側板２及び後板３から周壁を形成し、前板１の下部に底板５を介して把手板６を連設し、前板１から底板５を後方へ、把手板６を後板３の内側に沿って上方へ順次折り曲げた形態で使用され、前板１及び把手板６にその両側端から間隔をおいて底板５を切り込ませることにより、底板５が前板１及び把手板６の下端から浮き上がり、その両側で底面が抜けるようにした包装用仕切体。
【発明の詳細な説明】
【０００１】
【発明の属する技術分野】
この発明は、輸液バッグの包装に適した段ボール等の厚紙を材料とする仕切体に関するものである。
【０００２】
【従来の技術】
従来、医療用輸液バッグの輸送に際しては、図９に示すように、外箱５０に底板５１を敷き、対向する２枚の側板５２間に複数枚の仕切板５３を渡した仕切体５４を底板５１の上に置き、個装袋Ｔで滅菌包装された輸液バッグＢを仕切板５３で区画された収納部に収納する形態が採用されている（特許文献１参照）。
【０００３】
【特許文献１】
特開２００１−３４１７３０号公報（図１）
【０００４】
【発明が解決しようとする課題】
ところで、二つ折りされた２液混合タイプの輸液バッグＢを上記のような包装形態で輸送すると、固く尖った折曲部分の角部で底板５１に擦られて個装袋Ｔが破れ、滅菌状態が侵されることがある。また、この包装形態では、病院での輸液バッグＢの取り出しや持運びが困難であるという問題もある。
【０００５】
そこで、この発明は、輸液バッグの保護性や個別状態での運搬性に優れた包装用仕切体を提供しようとするものである。
【０００６】
【課題を解決するための手段】
上記課題を解決するため、この発明に係る包装用仕切体は、前板、一対の側板及び後板から周壁を形成し、前板の下部に底板を介して把手板を連設し、前板から底板を後方へ、把手板を後板の内側に沿って上方へ順次折り曲げ、前板及び把手板にその両側端から間隔をおいて底板を切り込ませ、底板が前板及び把手板の下端から浮き上がり、その両側で底面が抜けるようにしたのである。
【０００７】
この包装用仕切体を使用して輸液バッグを包装すると、輸液バッグが底板で持ち上げられるように支持され、輸液バッグの固く尖った折曲部分の角部は底面の抜けた部分に位置し、輸液バッグの折曲部が撓んで左右方向の移動が規制されるので、輸送時の底部及び側部の擦れによる個装袋の破れが防止される。
【０００８】
また、底板に繋がる把手板を設けたので、病院においては、把手板の上部を握り、外箱から仕切体を取り出し、仕切体を手で提げて、輸液バッグを容易に持ち運ぶことができる。
【０００９】
【発明の実施の形態】
この発明の第１実施形態を図１乃至図４に基づいて説明する。
【００１０】
図１に示すように、この仕切体の段ボールブランクでは、前板１の両側に側板２が連設され、一方の側板２の外側縁に後板３が、他方の側板２の外側縁に継代片４がそれぞれ連設されている。後板３は前板１より背が高く、一方の側板２の上縁は、後板３の補強のため、前板１から後板３へかけて上方へ傾斜している。
【００１１】
前板１の下部には、底板５を介して把手板６が連設され、底板５は前板１及び把手板６に両側端から間隔をおいて切れ込んでいる。後板３及び把手板６には、同一形状の把手穴７が設けられている。
【００１２】
上記ブランクから成る仕切体は、図２に示すように、前板１、一対の側板２及び後板３を継代片４を介して繋ぐと共に、底板５を前板１から内側に折り曲げた扁平な折畳状態で出荷される。
【００１３】
一方、輸液バッグを梱包する際には、図３に示すように、前板１、一対の側板２及び後板３を角筒状に開き、前板１から底板５を後方へ折り曲げ、把手板６を後板３の内側に沿って上方へ折り曲げる。これにより、底板５が前板１及び把手板６の下端から浮き上がり、その両側で底面が抜けた形態となる。
【００１４】
そして、上記のように組み立てた仕切体８の内部に、個装袋Ｔで滅菌包装された輸液バッグＢを挿入し、図４に示すように、この仕切体８を外箱９に複数並べて収納することにより、仕切体８で輸液バッグＢの収納空間を区画する。
【００１５】
このように梱包すると、輸液バッグＢが底板５で持ち上げられるように支持され、輸液バッグＢの固く尖った折曲部分の角部は底面の抜けた部分に位置し、輸液バッグＢの折曲部が撓んで左右方向の移動が規制されるので、輸送時の底部及び側部の擦れによる個装袋Ｔの破れが防止される。
【００１６】
また、病院においては、一致した後板３及び把手板６の把手穴７に手を入れて仕切体８を持ち上げ、外箱９から仕切体８を取り出し、仕切体８を手で提げて、輸液バッグＢを容易に持ち運ぶことができる。
【００１７】
次に、この発明の第２実施形態を図５乃至図８に基づいて説明する。
【００１８】
図５に示すように、この仕切体の段ボールブランクでは、前板１の両側に側板２が連設され、両側板２の外側縁に後板３が連設されている。前板１、側板２及び後板３は同じ高さとなっている。
【００１９】
前板１の下部には、底板５を介して把手板６が連設され、底板５は前板１及び把手板６に両側端から間隔をおいて切れ込んでいる。把手板６には、把手穴７が設けられている。
【００２０】
また、把手板６の基端両側部には突起１０が、一対の側板２の後板３との稜部には切込１１がそれぞれ設けられ、前板１及び後板３の上縁には、組立時に把手板６を掴むための切欠１２が形成されている。
【００２１】
上記のようなブランクから成る仕切体は、図６に示すように、前板１、一対の側板２及び後板３を折り返して、両方の後板３同士を貼り合わせて繋ぐと共に、把手板６を底板５から内側に折り曲げた扁平な折畳状態で出荷される。
【００２２】
一方、輸液バッグを梱包する際には、図７に示すように、前板１、一対の側板２及び後板３を角筒状に開き、前板１から底板５を後方へ折り曲げ、把手板６を後板３の内側に沿って上方へ折り曲げる。これにより、底板５が前板１及び把手板６の下端から浮き上がり、その両側で底面が抜けた形態となる。
【００２３】
そして、上記のように組み立てた仕切体８の内部に、個装袋Ｔで滅菌包装された輸液バッグＢを挿入し、この仕切体８を、図８に示すように、外箱９に複数並べて収納することにより、仕切体８で輸液バッグＢの収納空間を区画する。
【００２４】
このように梱包すると、輸液バッグＢが底板５で持ち上げられるように支持され、輸液バッグＢの固く尖った折曲部分の角部は底面の抜けた部分に位置し、輸液バッグＢの折曲部が撓んで左右方向の移動が規制されるので、輸送時の底部及び側部の擦れによる個装袋Ｔの破れが防止される。
【００２５】
また、病院においては、把手板６の把手穴７に手を入れて仕切体８を持ち上げることにより、外箱９から仕切体８を取り出し、仕切体８を手で提げて、輸液バッグＢを容易に持ち運ぶことができる。
【００２６】
このとき、突起１０が切込１１に係合するので、把手板６を引き上げても、底板５の先端部が持ち上がることがなく、安定した状態で輸液バッグＢを持ち運ぶことができる。
【００２７】
また、この仕切体８は、後板３の高さが前板１と同様に低くなっていることから、上記第１実施形態ものよりも少量の材料で製造でき、外箱９への収納に際して、把手板６を後板３の上縁に沿って折り曲げておくこともできる。
【００２８】
なお、上記各実施形態の仕切体８は、製函機で容易に組み立てることができ、これらの仕切体８を用いた梱包に際し、多数の仕切体８に予め輸液バッグＢを挿入しておくと、外箱９への収納作業を迅速に行うことができるので、大量に出荷される輸液バッグＢの梱包にも適したものとなる。
【００２９】
【発明の効果】
以上のように、この発明に係る包装用仕切体では、外箱内の空間を区画するだけでなく、輸液バッグが底板で持ち上げられるように支持され、輸液バッグの固く尖った折曲部分の角部は底面の抜けた部分に位置し、輸液バッグの折曲部が撓んで左右方向の移動が規制されるので、輸送時の底部及び側部の擦れによる個装袋の破れが防止され、輸液バッグの衛生状態が維持される。
【００３０】
また、病院においては、把手板の上部を握り、外箱から仕切体を取り出し、輸液バッグの個装袋に触れることなく、仕切体を手で提げて、輸液バッグを各病室へ容易に持ち運ぶことができる。
【図面の簡単な説明】
【図１】この発明に係る包装用仕切体の第１実施形態のブランクを示す図
【図２】同上の折畳状態を示す斜視図
【図３】同上の組立状態を示す斜視図
【図４】同上の箱への収納状態を示す斜視図
【図５】この発明に係る包装用仕切体の第２実施形態のブランクを示す図
【図６】同上の折畳状態を示す斜視図
【図７】同上の組立状態を示す斜視図
【図８】同上の箱への収納状態を示す斜視図
【図９】従来の輸液バッグの包装形態を示す分解斜視図
【符号の説明】
１　前板
２　側板
３　後板
５　底板
６　把手板
７　把手穴
８　仕切体
９　外箱
【図１】
2004135916.tif 000003
【図２】
2004135916.tif 000004
【図３】
2004135916.tif 000005
【図４】
2004135916.tif 000006
【図５】
2004135916.tif 000007
【図６】
2004135916.tif 000008
【図７】
2004135916.tif 000009
【図８】
2004135916.tif 000010
【図９】
2004135916.tif 000011